(57)【要約】【課題】著しくより単純に組み立てられることができかつさらに比較的に容易に製造できる楽器スタンドを提供する【解決手段】第１の側部部材１１と第２の側部部材１２とがそれぞれ、下側１３と上側１４とを有しておりかつ、ギタースタンドを床面１９に載置するための基部１５〜１８を有しており、さらに、上側１４の領域において、枢着部を形成した第１又は第２の枢着部材２０，２１を有しており、枢着部が、所定の回転軸線Ｓを中心に側部部材１１，１２が相対的に旋回させられることを可能にしており、枢着部材２０，２１の領域に、ギタースタンドを少なくとも１つの旋回位置にロックする捕捉手段２３，２４が設けられている。【選択図】　　　図１
2004062191.tif 000002
【特許請求の範囲】
【請求項１】
特にギターのための楽器スタンドであって、第１の側部部材（１１）と第２の側部部材（１２）とが設けられており、これらの側部部材のそれぞれが、下側（１３）と上側（１４）とを有しており、第１及び第２の側部部材（１１，１２）がそれぞれ、ギタースタンドを床面（１９）に載置するための基部（１５〜１８）を有しており、第１及び第２の側部部材（１１，１２）がそれぞれ、上側（１４）の領域において第１又は第２の枢着部材（２０，２１）を有しており、該枢着部材が枢着部を形成しており、該枢着部が、所定の回転軸線（Ｓ）を中心に側部部材（１１，１２）が相対的に旋回させられることを可能にしている形式のものにおいて、
枢着部材（２０，２１）の領域に捕捉手段（２３，２４）が設けられており、該捕捉手段が、ギタースタンドを少なくとも１つの旋回位置にロックするようになっていることを特徴とする、特にギターのための楽器スタンド。
【請求項２】
前記捕捉手段（２３，２４）が複数の係合位置（２５〜２９）を規定しており、これにより、ギタースタンドが、有利には互いに等しい間隔を置いて配置された複数の種々異なる旋回角度位置に固定されることができる、請求項１記載の楽器スタンド。
【請求項３】
１つの旋回位置（休止位置）において第１及び第２の側部部材（１１，１２）が、互いから最小限に分離されておりかつ互いに対して実質的に平行である、請求項１又は２記載の楽器スタンド。
【請求項４】
ギタースタンドが所定の最大角度よりも拡開されることを不可能にするために、枢着部材（２０，２１）の領域、特に捕捉手段若しくは支持手段（３０，３１）において、旋回角度を制限するための手段が設けられている、請求項１から３までのいずれか１項記載の楽器スタンド。
【請求項５】
前記捕捉手段（２３，２４）の少なくとも１つが、回転軸線（Ｓ）と同心的な円の円弧に沿って延びるように、構成及び方向付けされている、請求項１から４までのいずれか１項記載の楽器スタンド。
【請求項６】
前記捕捉手段（２３，２４）が、少なくとも１つの捕捉凹所（３０，３１，３２）を備えた収容捕捉手段（２４）と、少なくとも１つの捕捉突起（３３，３４）を備えた延長捕捉手段（２３）とを含んでいる、請求項１から５までのいずれか１項記載の楽器スタンド。
【請求項７】
前記捕捉凹所（３０，３１，３２）が設けられた捕捉手段が、捕捉チャネル（２３）として構成されており、前記捕捉突起（３３，３４）が設けられた捕捉手段が、捕捉ノーズ（２４）として構成されており、該捕捉ノーズ（２４）が捕捉チャネル（２４）内に案内されている、請求項１から６までのいずれか１項記載の楽器スタンド。
【請求項８】
前記捕捉手段（２３，２４）が、枢着部（２２）の回転軸線（Ｓ）から、２０ｃｍ未満、有利には１５ｃｍ未満だけ間隔を置いて配置されている、請求項１から７までのいずれか１項記載の楽器スタンド。
【請求項９】
前記捕捉突起（３３）と捕捉凹所（３０）とが、枢着部（２２）の回転軸線（Ｓ）に対して半径方向に互いに係合する、請求項１から８までのいずれか１項記載の楽器スタンド。
【請求項１０】
前記捕捉突起（３４，３５）と捕捉凹所（３１，３２）とが、枢着部（２２）の回転軸線（Ｓ）に対して平行な方向に互いに係合する、請求項１から９までのいずれか１項記載の楽器スタンド。
【請求項１１】
前記捕捉手段（２３，２４）が、支配的又は全体的にプラスチックから成っている、請求項１から１０までのいずれか１項記載の楽器スタンド。
【請求項１２】
前記側部部材（１１，１２）のそれぞれに、凹んだ領域（３６，３７）が形成されており、２つの凹んだ領域が相俟って、楽器を載置するための支持面を形成している、請求項１から１１までのいずれか１項記載の楽器スタンド。
【発明の詳細な説明】
【０００１】
【発明の属する技術分野】
本発明は、楽器、特にギターのためのスタンドであって、第１の側部部材と第２の側部部材とが設けられており、それぞれの側部部材が下側と上側とを有しており、第１及び第２の側部部材のそれぞれが、床面にギタースタンドを載置するための基部を有しており、第１及び第２の側部部材それぞれが、上側の領域において、第１及び第２の枢着部材をも有しており、これらの枢着部材が、側部部材が所定の回転軸線を中心にして相対的に回転させられることができるように、枢着部を形成しているものに関する。
【０００２】
【従来の技術】
この種の楽器スタンドは、既に英国特許第２２７６３１４号明細書に開示されている。この公知のギタースタンドは比較的複雑であり、相対的に移動することができる多数の部材を備えて設計されている。さらに、ギタースタンドは、公知のスタンドよりも容易に組み立てることが望ましく、これと同時に、起立したスタンドが所定の位置に安定して保持されることを保証することが望ましい。
【０００３】
この一般的な種類の別のギタースタンドは、ドイツ連邦共和国特許第４４３７２００号明細書より公知である。ここに記載されたギタースタンドを組み立てる手順も煩雑である。なぜならば、第１及び第２の側部部材が、起立させるために所定の位置を占めるように旋回させられた後、基部の領域における接続鉄が、第１及び第２の側部部材の間の有効な位置に配置されなければならず、これにより、起立プロセスが付加的に複雑となる。
【０００４】
【特許文献１】
英国特許第２２７６３１４号明細書
【特許文献２】
ドイツ連邦共和国特許第４４３７２００号明細書
【０００５】
【発明が解決しようとする課題】
したがって、本発明の課題は、公知の従来技術と比較して、著しくより単純に組み立てられることができかつさらに比較的容易に製造できる、この一般的な種類の楽器スタンドを提供することにある。
【０００６】
【課題を解決するための手段】
前記課題は、請求項１に与えられた特徴を有する楽器スタンドによって達成された。有利な別の発展形は従属請求項に与えられている。
【０００７】
【発明の効果】
本発明の中心的な概念は、楽器スタンドの２つの側部部材が、捕捉手段のみによって所定の回転位置に捕捉されるということであり、これらの捕捉手段は枢着部材の領域に配置されている。このように構成された楽器スタンドは、著しく簡潔な形式で組み立てられかつ折り畳まれることができ、それにも拘わらず製造は依然として単純である。
【０００８】
有利な別の構成では、本発明において提案されたように設計されたギタースタンドは、複数の種々異なる回転位置において固定されることもできる。これは、有利には等間隔を置いて配置された複数の係合位置が規定され、装置が、対応する角度位置において固定されることができるように、捕捉手段を構成することによって達成される。
【０００９】
本発明において提案された手段を用いることにより、特に容易に搬送され、軽量で、迅速に組み立てられかつ折り畳まれることができるギタースタンドを提供することができる。互いに実質的に平行に位置し（休止位置）かつこれと同時に最小限の距離だけ間隔を置かれるように第１及び第２の側部部材を所定の位置へ回転させることによって、楽器スタンドを、搬送のために特にコンパクトにすることができる。その結果、搬送されるために容易に貯蔵されることができる極めて平坦なユニットが提供される。
【００１０】
特別な実施例では、本発明による捕捉手段に加えて、枢着部材の領域、特に枢着部の捕捉手段若しくは支持エレメントに、回転角度を制限するための手段が設けられており、この手段は、ギタースタンドが、所定の最大拡開角度を超えて拡開されることを不可能にする。原則的に、捕捉手段の構成自体は、楽器スタンドが、選択された旋回角度位置において補足された場合に十分に安定していることを保証する。旋回角度制限手段は、特定の最大回転角度を超えた拡開に対する付加的な、克服しがたいバリヤを提供する。
【００１１】
特定の有利な実施例では、捕捉手段の少なくとも一方が、回転軸線と同軸的な円の円弧に沿って延びるように、構成及び配置されている。この場合、捕捉手段は、複数の係合位置を規定することができ、それぞれの係合位置は、側部部材が旋回させられた場合に、関連する捕捉相手部材によってアクセスされることができる。
【００１２】
ここで提案された特定の実施例では、捕捉手段は、少なくとも１つの捕捉凹所を備えた収容捕捉手段と、少なくとも１つの捕捉突起を備えた、延長した捕捉手段とを有している。
【００１３】
特に有利な実施例では、捕捉凹所が設けられた捕捉手段は捕捉チャネルとして構成されており、捕捉突起が設けられた捕捉手段は捕捉ノーズとして構成されており、捕捉ノーズは捕捉チャネル内で案内されている。この設計は、極めて確実な係合を達成する。さらに、このような設計は、枢着部の安定性を強化することができる。
【００１４】
本発明の特定の有利な実施例では、捕捉手段は、枢着部の回転軸線から、２０ｃｍ未満、有利には１５ｃｍ未満の間隔を置いて配置されている。その結果、楽器スタンドの比較的単純で、人間工学的な構造が提供される。楽器スタンドは、前記のような従来技術に設けられたものよりも少ない可動部材を必要とする。
【００１５】
特定の実施例では、枢着部の回転軸線に対して半径方向で互いに係合する捕捉突起及び捕捉凹所が設けられている。
【００１６】
付加的に又は択一的に、回転軸線に対して平行に捕捉凹所と係合する捕捉突起を設けることができる。
【００１７】
特に提案された解決手段において、捕捉凹所は捕捉チャネルの２つの側面に設けられており、捕捉ノーズの関連する側面における対応する捕捉突起が前記捕捉凹所と係合することができる。捕捉チャネルの寸法を適切にすることにより、捕捉チャネルにおける捕捉凹所に向かって捕捉ノーズの側面における捕捉突起を押し付けようとする力は、常に実質的に同じであり、これにより、挿入又は包囲係合を含むこの解決手段により、楽器スタンドが長年使用された後でさえも、確実な保持力が保証される。
【００１８】
特定の有利な実施例では、捕捉手段は、支配的又は全体的にプラスチックから形成されている。捕捉手段をプラスチックから構成することは、製造の間、有効及び経済的であることが分かった。同時に、プラスチックから形成された捕捉手段は、単純かつ確実な取扱いを可能にする。
【００１９】
特定の実施例では、それぞれの側部部材には、凹んだ領域が設けられており、これらの領域は相俟って、スタンドに載置される楽器のための支持面を形成している。したがって、楽器を支持するためにさえも、付加的な別個の部材は不要であり、これにより、楽器スタンドは全体的に使用しやすく、軽量で、構造及び使用における信頼性がよい。
【００２０】
以下に本発明は、添付の図面を参照した典型的な実施例の説明によって、付加的な特徴及び利点に関しても、より詳細に説明される。
【００２１】
【発明の実施の形態】
図１には、本発明による楽器スタンドの実施例が斜視図で示されている。楽器スタンドは、第１の側部部材１１と第２の側部部材１２とを有している。第１の側部部材１１と第２の側部部材１２とはそれぞれ下側１３と上側１４とを有している。この場合、第１及び第２の側部部材１１，１２は、それぞれ管状のフレームから成り、このフレームはほぼ三角形であり、それぞれのフレームには、凹んだ領域３６，３７が設けられている。楽器スタンドが、以下に詳しく説明するような拡開された位置にある場合、２つの凹んだ領域は、楽器、特にギターのための支持面を形成する。
【００２２】
第１及び第２の側部部材１１，１２はそれぞれ、下側１３において、基部１５〜１８を有しており、これらの基部は、基本的な管状のフレームの一部であるか、又は別個の部材によって形成されていることができる。基部１５〜１８は、床面１９に載置されるように設計されており、定着性を高めると同時に床の凹凸を僅かに補償しかつ／又は衝撃吸収体として働くために、ゴムカバー４０が設けられていることができる。
【００２３】
第１及び第２の側部部材１１，１２はそれぞれ上側１４において第１及び第２の枢着部材２０，２１を有している。第１の側部部材１１に設けられた第１の枢着部材２０は、第２の枢着部材及びこの場合には別個の部材として提供された旋回軸３８と共に、回転軸線Ｓを中心にした枢着部２２を形成しており、その結果、第１の側部部材１１と第２の側部部材１２との間に、軸線旋回可能性が規定されている。この実施例における旋回軸３８は、別個の構成部材であるが、枢着部における相手部材として働くエレメントの対応する修正によって適切に構成されることにより、その代わりに、第１又は第２の枢着部材２０，２１の一体的な部材であることができる。この場合、相手側の枢着部材は、所定の位置にクリップ留めすることによって所定の位置に固定されることができ、これにより、１種のスナップイン結合を形成する。
【００２４】
ここに示された特定の実施例において、捕捉チャネル２４は、第１枢着部材２０と一体的に形成されていて、楽器スタンドが組み立てられた状態である場合に、第２の枢着部材２１と一体的に形成された捕捉ノーズ２３の周囲に延びている。ノーズ２３とチャネル２４とは様々な係合位置２５〜２９を構成し、これらの係合位置は、占められることができる様々な枢着部角度位置を規定する。それぞれの枢着部角度位置において、楽器スタンドは、所定の保持力によって所定の角度位置に保持される。所定の保持力が克服されると、定位置２５〜２９における係合を解放させることができ、楽器スタンドの旋回角度を変化させることができ、例えばスタンドをさらに拡開させるか又は折り畳むことができる。
【００２５】
特にこの有利な実施例において採用されている捕捉ノーズ２３と捕捉チャネル２４との構成が、チャネル２４及びノーズ２３を含む枢着部の詳細図を与えている図２に、より明瞭に示されている。チャネル２４は、回転軸線Ｓに中心合わせされた円弧の区分に沿って延びている。チャネルは、軸線Ｓの下方において、第１の側部部材１１において、第１の枢着部材２０に配置されており、第２の側部部材１２の第２の枢着部材２１に向かって延びている。これに対応して、捕捉ノーズ２３が、第２の側部部材１２に関連した第２の枢着部材２１に配置されており、第１の側部部材の第１の枢着部材２０に向かって延びており、捕捉ノーズ２３が捕捉チャネル２４に突入し、捕捉チャネル内に案内されている。上記の係合位置２５〜２９は、複数の捕捉凹所３０，３１，３２によって捕捉チャネル内に規定されており、捕捉ノーズ２３に配置された捕捉突起３３，３４が、複数の捕捉凹所３０，３１，３２のそれぞれ１つに突入、すなわち係合することができるように設計されている。
【００２６】
図２及び図３に示されているように、捕捉凹所３０，３１，３２の様々なグループが提供されている。すなわち、（中央の）捕捉凹所３０は、捕捉チャネル２４の底面に設けられており、側部の捕捉凹所３１，３２は、捕捉チャネル２４の側面に設けられている。中央の捕捉凹所３０は、捕捉ノーズ２３に配置された捕捉突起３３によって係合され、側部の捕捉凹所３１，３２は、これに対応して配置された側部の捕捉突起３４（図３参照）によって係合される。
【００２７】
さらに、初期係合位置３９を提供することができ、この初期係合位置においては、捕捉ノーズ２３の全体が捕捉チャネル２４内へ押し込まれており、第１の側部部材１１と第２の側部部材１２とが、互いに平行にかつ、互いから最小限の距離をおいて配置される。この手段によって、楽器スタンドが搬送位置にある場合には、側部部材１１，１２が広がることを防止される。楽器スタンドが初期係合位置３９にある場合には、所定の保持力で搬送位置に維持される。
【００２８】
図１〜図３に示された捕捉手段特定の実施例は、少なくとも１つの旋回位置においてギタースタンドをロックすることができる捕捉手段を、枢着部２２の領域において構成するための多数の可能な方法のうちの１つに過ぎない。
【図面の簡単な説明】
【図１】本発明による楽器スタンド、特にギタースタンドの実施例を示す図である。
【図２】図１に示されたスタンドの詳細を示す図である。
【図３】捕捉手段の機能をより明確にするために、図１により楽器スタンドを示す部分的な斜視断面図である。
【符号の説明】
１１　第１の側部部材、　１２　第２の側部部材、　１３　下側、　１４　上側、　１５〜１８　基部、　１９　床面、　２０，２１　枢着部材、　２２　枢着部、　２３　捕捉ノーズ、　２４　捕捉チャネル、　２５〜２９　係合位置、３０〜３２　捕捉凹所、　３３，３４　捕捉突起、　３６，３７　凹んだ領域、　３８　旋回軸、　３９　初期係合位置、　４０　ゴムカバー
【図１】
2004062191.tif 000003
【図２】
2004062191.tif 000004
【図３】
2004062191.tif 000005